(57)【要約】【課題】  各家庭や個人事業主、中小の企業において、簡単に冊子用に束ねた用紙を固定し、容易に中綴じ用の針の打ち込みを可能として、安価で効率的に冊子の製本を可能とする中綴じ製本装置を提供すること。【解決手段】  本発明に係る中綴じ製本装置１は、盤体２にステープラー１０を着脱可能に形成された２つのステープラー装着溝３と、盤体２の上下左右の少なくとも一方に形成された一以上の用紙取出し用切欠き４と、中綴じ製本に供される用紙の設置位置を固定するための複数の用紙位置固定ピン用孔６と、用紙位置固定ピン用孔６に着脱可能に挿通して用紙の位置を固定する複数の位置固定ピン７とを有する。【選択図】  図３
2005138316.tif 000002
【特許請求の範囲】
【請求項１】
盤体にステープラーを着脱可能に形成された２つの第１の溝部と、前記盤体の上下左右の少なくとも一方に形成された一以上の用紙取出用切欠部と、中綴じ製本に供される用紙の設置位置を固定するための複数の位置固定具用孔と、前記位置固定具用孔に着脱可能に挿通して前記用紙の位置を固定する複数の固定部材とを有することを特徴とする中綴じ製本装置。
【請求項２】
前記盤体において、前記位置固定具用孔に着脱可能に挿通して前記用紙の位置を固定する固定部材の内側面が略直角を形成してなるものであることを特徴とする中綴じ製本装置。
【請求項３】
前記盤体の裏面に緩衝部材を備えることを特徴とする請求項１及び請求項２に記載の中綴じ製本装置。
【請求項４】
前記盤体の側端部に接して前記用紙の位置を固定する第２の固定部材を着脱可能に備えることを特徴とする請求項１乃至請求項３のいずれか１項に記載の中綴じ製本装置。
【発明の詳細な説明】
【技術分野】
【０００１】
本発明は、事務用枚葉用紙束を中綴じする中綴じ製本装置に関するものである。
【背景技術】
【０００２】
現在、小型で比較的安価な高性能のプリンタが広く販売されているため、印刷会社等に依頼しなくとも用紙の両面に高品質の印刷面を有する書類の作製が可能となっている。個人や小規模な事業者であってもハイレベルのクオリティを実現した印刷物を作製することが可能である。
このように作製した書類や印刷物を冊子にまとめるための器具または装置としては、コの字型の針を打ち込むステープラーや、書類に穴をあけるためのパンチが知られ、事務用品として広く市販されている。
通常使用されるステープラーは書類の端部を綴じるという機能を主とし、紙を挟む部分の奥行きが十分ではない。週刊誌などのように用紙中央で中綴じして製本する必要があるときにはステープラーの紙を挟む部分の奥行きを長くしたものやステープラーの打針部を９０°回転可能としたものも市販され、使用されている。
このようなステープラー、あるいはパンチを用いて、効率的に、しかも打針位置または孔の位置を一定にし、複数の冊子を作製する際にも仕上がりの整った冊子を作製するための器具あるいは装置が開発されている。
【０００３】
例えば、特許文献１には、発明の名称を「書類綴り補助具」として、複数枚の用紙をきれいに簡単に揃え、綴じる作業を効率よく行うための発明が開示されている。
この書類綴り補助具は、板状の本体の左側の上下端部に用紙の角部をステープラーで留めるために切欠き部を備えている。さらにステープラーあるいはパンチを使用するためのスペースである２箇所の四角形状の切欠き部と、用紙の中心位置を示す中心表示を備える。当該補助具上に用紙を載置した後、切欠きの必要箇所にステープラーあるいはパンチを設置して作業を行う。
このような器具を用いずに用紙の綴じ作業を行う場合、同一の人による作業であっても冊子毎に打針位置が異なり、また複数人による作業では尚更打針位置が異なるため、冊子の仕上がりにばらつきがあった。しかし、本補助具を使うことによれば、誰が作業を行っても打針または孔の位置を一致させることが可能である。従って、仕上がりの整った冊子を作製することができる。
【０００４】
また、特許文献２には、考案の名称を「卓上式の事務用綴じ機」として、複数のステープラーを用い、一度に複数箇所の打針可能な綴じ機に関する考案が開示されている。
この綴じ機の構成は、「事務用枚葉シート束（Ｍ）を載置セツトし得る台盤（Ｆ）の上面に、ステープラー嵌め込み用凹段面（ｂ）を側面のほぼ蟻溝型として区成し、その凹段面（ｂ）へ複数のステープラー（Ｓ）をスライド操作自在に、且つ枚葉シート束（Ｍ）の喰え込み可能な並列状態に嵌め込むと共に、その複数のステープラー（Ｓ）を上方から手動操作ハンドル（Ｈ）の押し下げ操作の押し下げ操作により、一挙同時に閉合させるように設定する。」ことから成る。
上記構成の卓上式の事務用綴じ機によれば、一度に２箇所の打針を行うため、作業効率がよい。また綴じ位置もの調節も可能であり、仕上がりが整っている。
【０００５】
最後に、特許文献３には、実用新案の名称を「中綴じ製本装置」として冊子用に束ねた用紙を固定し、中綴じ用の針の打ち込みを可能として、効率的に少量の冊子を製本可能とする実用新案が開示されている。なお、当該考案は、本出願人により出願されたものである。
以下、図を参照して、中綴じ製本装置の従来例について説明する。
図６は、中綴じ製本装置の従来例を示す外形図である。中綴じ製本装置２０は盤体２１に２箇所のステープラー装着溝２２と、２箇所の用紙取り出し用切欠き２３と、手提げ用孔２４を有する。また、一側面につき２箇所、合計４箇所の用紙上下位置固定具用溝２５、さらに２箇所の用紙左右位置固定具用溝２６が設けられるものである。用紙上下位置固定具用溝２５には用紙上下位置固定具２８が載置され、止め具２９によって盤体２１に固定される。また用紙左右位置固定具用溝２６においても左右位置固定具２７が載置され、止め具２９によって固定される。
【０００６】
使用時には各ステープラー装着溝２２にステープラー３０をセットし、打針部３１の９０°の回転を行う。用紙左右位置固定具２７および用紙上下位置固定具２８を任意の用紙サイズに適合するよう位置調整を行い、それぞれを止め具２９で固定して用紙（図示せず）を載置し、ステープラー３０を押圧して打針する。
特許文献１および２における発明および考案は、単に用紙の端部を閉じて冊子を作製するものであったが、上記構成による中綴じ製本装置によれば、上下、左右の位置固定具によって用紙を安定的に固定し、常に用紙の中心線上に打針可能である。また用紙取り出し用切欠き２３は製本を終えた冊子の下から手を当てるなどして、容易に製本した冊子を取り出すことを可能とするものである。
従って、持運びが容易な軽量、コンパクトな装置で、効率的に作業を実施することができ、仕上がりも美しくしかも安価に製本することが可能である。
【特許文献１】特開２００１−２２５５９１号公報
【特許文献２】実開平６−３５７２号公報
【特許文献３】実用新案登録第３０９５６７６号公報
【発明の開示】
【発明が解決しようとする課題】
【０００７】
しかしながら、特許文献１における書類綴り補助具は枚葉用紙毎に同様の書類綴り補助具が必要となり、汎用性に欠ける。
また、特許文献２における卓上式の事務用綴じ具においては、用紙をセットするための目盛が設けられているものの、用紙の端部を固定するための立体的な固定具がないため、複数枚重ねた用紙の安定性が悪い。
さらに、機能としては用紙の端部を綴じるものでありながら、綴じ機全体としては部品点数が多い。そのために製造コストが高くなるという問題点がある。  
【０００８】
また特許文献３に開示された技術においては、用紙左右位置固定具２７、用紙上下位置固定具２８を備えたことによって用紙を固定可能であるため、複数の用紙を安定した状態に保てる。しかしながら用紙左右位置固定具２７および用紙上下位置固定具２８の位置調整を行う際に、止め具２９を緩め、用紙左右位置固定具２７および２つの用紙上下位置固定具２８をそれぞれ所望の位置に移動させ、さらに止め具２９を締結するという作業が必要であり、煩雑である。またこの構造によると、盤体２１上に多数の部品を取り付ける必要があるため、コストの点にも問題がある。
【課題を解決するための手段】
【０００９】
本発明の中綴じ製本装置においては、上述の課題を解決するため、盤体にステープラーを着脱可能に形成された２つの第１の溝部と、盤体の上下左右の少なくとも一方に形成された一以上の用紙取出用切欠部と、中綴じ製本に供される用紙の設置位置を固定するための複数の位置固定具用孔と、この位置固定具用孔に着脱可能に挿通して用紙の位置を固定する複数の固定部材とを有することを特徴とするものである。
上記構成の中綴じ製本装置においては、用紙取出用切欠部は製本作業の終了した冊子の下から手を入れて容易に製本した冊子を取り出すことができるという作用を有する。また固定部材に従って盤体上に用紙を置くことで、用紙の安定性を保つという作用を有する。このような位置固定具用孔と固定部材を用いることで、サイズの異なる用紙であっても必ず中心線上に打針可能である。さらに、用紙のサイズの変更に伴う固定部材の位置変更は、固定部材を位置固定具用孔から外して新たに用紙のサイズに合致した別の位置固定具用孔に装着することによって実施されるので容易であり短時間に行うことが可能である。
【００１０】
請求項２に記載の発明である中綴じ製本装置は、請求項１に記載の中綴じ製本装置の盤体において、位置固定具用孔に着脱可能に挿通して製本すべき用紙の位置を固定する固定部材の内側面が略直角を形成してなるものであることを特徴とするものである。
上記構成の中綴じ製本装置においては、用紙の角部に一致する内側面が直角を有する形状よりなる固定具を、同じくこの固定具を挿通および立設させるための直角を有する位置固定孔に挿通させ、これに沿って用紙を載置することで用紙位置を安定させ、固定するという作用を有する。
【００１１】
請求項３に記載の発明である中綴じ製本装置は、請求項１及び請求項２に記載の中綴じ製本装置において、盤体の裏面に緩衝部材を備えることを特徴とするものである。
上記構成の中綴じ製本装置においては、ステープラーを押圧するときに、中綴じ製本装置とこの中綴じ製本装置の設置場所との間で生じる衝撃を緩和するという作用を有する。
さらにステープラー押圧時に使用者の手に生じる応力を緩和する作用をも有する。
【００１２】
最後に請求項４に記載の発明である中綴じ製本装置は、請求項１乃至請求項３のいずれか１に記載の中綴じ製本装置において、盤体の側端部に接して用紙の位置を固定する第２の固定部材を着脱可能に備えることを特徴とするものである。
上記構成の中綴じ製本装置においては、盤体表面の大きさとほぼ一致するサイズの用紙の中綴じを行う際にも、盤体の側端部に接する第２の固定部材を用いることで、用紙の位置を安定させた状態で固定することができる。
【発明の効果】
【００１３】
本発明の中綴じ製本装置においては、位置固定具用孔に着脱可能な固定部材を設けたことによって、用紙を安定的に固定させることが可能である。また、サイズの異なる用紙の製本を行う場合、固定部材を他のサイズに設定された位置固定具用孔へ移動、挿通させることで用紙の装着に伴う位置調節を行うことができる。このように位置調整が非常に容易であるため、製本作業を短時間で効率的に実施可能であり、仕上がりも美しく、しかも安価に製本することができる。
【発明を実施するための最良の形態】
【００１４】
以下に、本発明の第１の実施の形態に係る中綴じ製本装置を図１乃至図４に基づき説明する。（特に、請求項１および請求項３，請求項４に対応）
図１は本発明の実施の形態に係る中綴じ製本装置の外形図である。図１において、中綴じ製本装置１は、盤体２に向かい合うように設けられた２箇所のステープラー装着溝３を備え、さらに２箇所の用紙取出し用切欠き４と、端部に穿設された手提げ用孔５を備えている。
また盤体２上においては、複数の用紙位置固定ピン用孔６を有し、この用紙位置固定ピン用孔６に着脱可能に挿通する位置固定ピン７を備える。用紙位置固定ピン用孔６は製本すべき用紙の規格寸法に合わせて、予め配置されている。
用紙位置固定ピン用孔６および位置固定ピン７の配置位置は、用紙（図示せず）の1つの角部を挟む近傍である。すなわち、用紙の角部の両側面に１個ずつ位置固定ピン７を立てて製本の供される用紙の角を固定するものである。用紙の四隅全て、つまり合計８つの位置固定ピン７を立設してもよいし、用紙の対角線上の２つの角部、つまり合計４つの位置固定ピン７を立設してもよい。
さらに、盤体２側端部には、用紙位置固定具８を備える。用紙位置固定具８についても、盤体２の四隅全てに配置してもよいし、対角線上の２つの端部にだけ固定してもよい。
【００１５】
なお、図において用紙位置固定ピン用孔６は貫通孔で示されるが、位置固定ピン７を挿通、固定するに十分のものであれば裏面まで達しない穴としてもよい。
また用紙取出し用切欠き４においては、長方形の溝として示されるが、盤体２内部に向かってＵ字状のカーブを持つ溝であってもよく、その形状は限定されるものではない。
さらに盤体２、ステープラー装着溝３および手提げ用孔５については直線的なフォルムであるが、安全上、またデザインに配慮して、直角を有する端部をカーブを有する形状としてもよい。
また手提げ用孔５については、端部に穿設された形状であるが、製本作業の妨げにならない程度の突起物を盤体２上に設けてもよい。
用紙位置固定具８を設けつつ盤体２を用紙の規定寸法とすることによって、盤体２自身全体を用紙の装着板として利用可能となる。従って、略同一の大きさの中綴じ製本装置であっても、用紙位置固定ピン用孔６や位置固定ピン７の数を節約することが可能とある。この用紙位置固定具８については、盤体２に一致するようなサイズの用紙を製本するとき以外には取り外してもよい。
【００１６】
図２は本発明の第１の実施の形態に係る中綴じ製本装置の裏面を示した外形図である。図１で既に説明した要素と同一の要素については同一符号を付し、その構成の説明を省略する。
図２において、盤体２には複数の緩衝材９が接着されている。緩衝材９の素材については、弾性を有するゴム、ウレタン等に代表される弾性体が望ましいが、素材を特に限定するものではなく、盤体２における接着位置や緩衝材９の形状においても限定しない。また、配置であるが、図２に示されるようにステープラー装着溝３、用紙取出し用切欠き４、手提げ用孔５や用紙位置固定ピン用孔６を避けつつ、打針時に盤体２が傾いたり撓んだりすることのないように万遍なく設置することが望ましい。
上記構成の中綴じ製本装置においては、使用時にステープラー（図示せず）を押圧した際、中綴じ製本装置１と中綴じ製本装置１の設置場所であるデスク等との間に生じる衝撃を緩和させるという効果を有する。従って、盤体２とこの盤体２を載置した机などの接触面同士において、摩擦傷による損傷を低減することができる。さらに、ステープラーを押圧する使用者の手にかかる反力を緩和するものである。
【００１７】
次に、図３を用いて本発明の中綴じ製本装置の使用方法を説明する。図１で既に説明した要素と同一の要素については同一符号を付し、その構成の説明を省略する。
図３は、盤体２上の製本したい用紙１２のサイズに該当する位置に設けられた用紙位置固定ピン用孔６に位置固定ピン７を挿通し、各ステープラー装着溝３にそれぞれステープラー１０を装着し、打針部１１を９０°回転させ、複数枚の用紙１２をセットした状態である。
このステープラー１０は市販の中綴じ用のステープラーであり、針を収容して打ち込むことが可能な打針部１１は９０°回転可能に設けられている。中綴じ以外の目的の場合には、針はステープラー１０の長手方向に垂直方向に打ち込まれるが、このように９０°回転させた状態にしておくことによれば、平行に打ち込むことができる。
ステープラー装着溝３はステープラー１０の長さ以上に盤体２の中央方向へ深く形成しておき、各ステープラー１０を前後に所望の位置に移動させ、打針位置を決定する。そしてステープラー１０を片方ずつ、あるいは両方を同時に押圧して打針を行う。打針箇所が２箇所以上必要であれば、さらにステープラー装着溝３内をステープラー１０を移動させて打針を行う。
【００１８】
必要箇所の打針の終了後、用紙取出し用切欠き４から指などを添えて製本作業の終了した冊子を取り出す。なお、これを冊子とするには、打針した地点を結ぶ線を中心線として冊子の左右の辺を重ねて折り曲げる。
１冊の製本が終了したら、次の製本用の用紙をセッティングする。その際にサイズが異なる用紙をセッティングする際には、位置固定ピン７をそのサイズに合致した位置に移動させてからセッティングを行い、ステープラー１０を移動させて打針し、冊子を取り出す。このようにしてすべての冊子の製本作業を終了する。
製本作業を終了すれば、手提げ用孔５を用いて持ち運びが可能であるので、場所を移動してさらに製本作業を継続することも可能であるし、作業台の横や倉庫の中などに収納しても場所をとらずに保管することができる。
【００１９】
さらに、詳細に本実施の形態について図４を用いて説明を追加する。図４は、本発明の第１の実施の形態に係る中綴じ製本装置を上部から見た構成図である。図４でも図１を用いて既に説明を実施した要素については、同一符号を付しその構成の説明は省略する。
図４において、中綴じ製本装置１は盤体２上に用紙ガイド線１３、ステープラー用ガイド目盛１４及びそれらのガイド線や目盛が示すサイズの名称（例えばＢ５）を付している。図において、用紙ガイド線１３を一般に使用頻度の高い最大Ａ３から最小Ｂ５までの４パターンとしているが、米国で多用されるいわゆるレターサイズやはがきサイズなども含めてもよいことは言うまでもない。なお、本実施の形態ではＡ３の用紙ガイド線は存在させておらず、盤体２の外周がその大きさに合致している。
【００２０】
上記構成の中綴じ製本装置においては、例えば製本したい用紙のサイズがＡ４であれば、盤体２用紙ガイド線１３においてＡ４と示されたガイド線の近傍の用紙位置固定ピン用孔６の１つの角部につき２箇所ずつ、合計８箇所、あるいは用紙の対角線上の４箇所に位置固定ピン７（図示せず）を挿通させる。
このような方法による位置固定によれば、特許文献３において位置固定具を調整するため、用紙左右位置固定具と２箇所の用紙上下位置固定具とを必要サイズに合わせるために、各々調整し、さらに止め具を締結するという作業が省略され、製本作業をスムーズに行うことができる。
また、ステープラー用ガイド目盛１４においては、用紙の規格に応じた好適な中綴じ位置に予めこのような目盛を付しておくことで、複数の冊子を製本しても綴じ位置を一致させることができ、仕上がりの整った冊子を作製可能とするものである。
【００２１】
最後に、本発明の第２の実施の形態に係る中綴じ製本装置を図５に基づき説明する。（特に、請求項２に対応）
図５は本発明の第２の実施の形態に係る中綴じ製本装置の外形図である。本実施の形態に係る中綴じ製本装置１５においても、前述のステープラー１０（図示せず）、あるいは必要に応じて用紙位置固定具８（図示せず）を装着して使用するものである。
中綴じ製本装置１５の盤体１６上には用紙ガイド線１７を備え、さらに各用紙サイズの用紙ガイド線１７の各角部には、角型位置固定具１９を立設するための用紙位置固定用具用溝１８を備えるものである。
なお、図において用紙位置固定用具用溝１８は貫通孔で示されるが、角型位置固定具１９を挿通、固定するに十分のものであれば裏面まで達しない穴としてもよい。
この角型位置固定具１９においては、例えばＡ４サイズの用紙（図示せず）を製本する場合、Ａ４の用紙サイズを示した用紙ガイド線１７の角部に備えられた用紙位置固定用具用溝１８の四隅の４箇所、あるいは用紙の対角線上の２箇所に立設させるものである。この状態において用紙（図示せず）を載置する。
【００２２】
上記構成による中綴じ製本装置１５においては、前述の位置固定ピン７を使用する際には１つの角部に対し２つの位置固定ピン７が必要であるのに対し、１つの角部に１つの角型位置固定具１９を用いるため、位置設定をより早く行うことができる。また用紙を安定させた状態で固定する効果は、位置固定ピン７と同様のものである。
【産業上の利用可能性】
【００２３】
以上説明したように、本発明の中綴じ製本装置によれば、持運びが容易で軽量、コンパクトな装置で汎用性があり、効率的に作業を実施することができる。さらに仕上がりも美しく、しかも安価に製本することが可能となる。
自家出版物の製本を目的とするような場合、教育機関や個人事業主などが使用する場合に、市販の中綴じ用ステープラーを装着して使用することもあり、製本コストを低く抑えるには大きな効果を発揮する。また、左右対称の構造であるため右利き、左利きの別による操作容易性にも差がない。製本作業に習熟しない児童などにも使いやすい構造である。
【図面の簡単な説明】
【００２４】
【図１】本発明の第１の実施の形態に係る中綴じ製本装置の外形図である。
【図２】本発明の第１の実施の形態に係る中綴じ製本装置の底面図である。
【図３】本発明の第１の実施の形態に係る中綴じ製本装置にステープラーを装着した状態での使用方法を示す外形図である。
【図４】本発明の第１の実施の形態に係る中綴じ製本装置にガイド目盛を入れた状態を示す外形図である。
【図５】本発明の第２の実施の形態に係る中綴じ製本装置の外形図である。
【図６】中綴じ製本装置の従来例を示す外形図である。
【符号の説明】
【００２５】
１…中綴じ製本装置 ２…盤体 ３…ステープラー装着溝 ４…用紙取出し用切欠き ５…手提げ用孔  ６…用紙位置固定ピン用孔 ７…位置固定ピン ８…用紙位置固定具 ９…緩衝材 １０…ステープラー １１…打針部  １２…用紙  １３…用紙ガイド線 １４…ステープラー用ガイド目盛  １５…中綴じ製本装置 １６…盤体  １７…用紙ガイド線  １８…用紙位置固定用具用溝  １９…角型位置固定具  ２０…中綴じ製本装置  ２１…盤体  ２２…ステープラー装着溝  ２３…用紙取り出し用切欠き  ２４…手提げ用孔  ２５…用紙上下位置固定具用溝  ２６…用紙左右位置固定具用溝  ２７…用紙左右位置固定具  ２８…用紙上下位置固定具  ２９…止め具  ３０…ステープラー  ３１…打針部
【図１】
2005138316.tif 000003
【図２】
2005138316.tif 000004
【図３】
2005138316.tif 000005
【図４】
2005138316.tif 000006
【図５】
2005138316.tif 000007
【図６】
2005138316.tif 000008